(57)【要約】【課題】蒸気温度が高い場合でも、低揚程ポンプを設けることができる密閉式熱源システムの提供。【解決手段】蒸気発生器１、熱源取り出し用の熱交換器７および給水ポンプ４で循環経路を構成し、蒸気発生器１の蒸気を熱交換器７に導入し、この熱交換器７で被加熱媒体と熱交換して凝縮した水を給水ポンプ４で蒸気発生器１に送り込むようにした密閉式熱源システムにおいて、蒸気発生器１の出口側と給水ポンプ４の入口側とを連絡する連通配管８を備え、この連通配管８に貯水タンク９を備えるとともに、貯水タンク９と蒸気発生器１の出口側とを連絡する連通配管８部分に絞り１０を設けた構成にしてある。【選択図】図１
2008002789.tif 000002
【特許請求の範囲】
【請求項１】
蒸気発生器、熱交換器および給水ポンプで循環経路を構成し、前記蒸気発生器の蒸気を前記熱交換器に導入し、この熱交換器で被加熱媒体と熱交換して凝縮した水を前記給水ポンプで前記蒸気発生器に送り込むようにした密閉式熱源システムにおいて、前記蒸気発生器の出口側と前記給水ポンプの入口側とを連絡する連通配管を備え、この連通配管に貯水タンクを備えたことを特徴とする密閉式熱源システム。
【請求項２】
前記貯水タンクと前記蒸気発生器の出口側とを連絡する前記連通配管部分に絞りを設けたことを特徴とする請求項１に記載の密閉式熱源システム。
【発明の詳細な説明】
【技術分野】
【０００１】
本発明は、蒸気発生器を有する密閉式熱源システムに関するものである。
【背景技術】
【０００２】
従来、蒸気発生器（蒸気ボイラー）を用いた熱源システムとしては、加熱器、気水分離器、循環ポンプなどから構成され、気水分離器で分離した水を循環ポンプで再び加熱器に送り込むようになっている（特許文献１参照）。
【特許文献１】特公平０２−３６８４１号（特許第１６２１０９９号）公報
【発明の開示】
【発明が解決しようとする課題】
【０００３】
上記の従来の熱源システム（蒸発発生システム）では、発生させるべき蒸気の圧力に見合った揚程を有するポンプが必要で、そのため、蒸気温度が高い熱源システムにあってはどうしても高揚程ポンプを使用せざるを得なかった。すなわち、形状の大きなポンプが必要となって熱源システムが大型になってしまうとともに、製作原価が高くなりやすい。
【０００４】
本発明は、このような従来技術における実状からなされたもので、その目的は、蒸気温度が高い場合でも、低揚程ポンプを設けることができる密閉式熱源システムを提供することにある。
【課題を解決するための手段】
【０００５】
この目的を達成するために、蒸気発生器、熱交換器および給水ポンプで循環経路を構成し、前記蒸気発生器の蒸気を前記熱交換器に導入し、この熱交換器で被加熱媒体と熱交換して凝縮した水を前記給水ポンプで前記蒸気発生器に送り込むようにした密閉式熱源システムにおいて、前記蒸気発生器の出口側と前記給水ポンプの入口側とを連絡する連通配管を備え、この連通配管に貯水タンクを備えたことを特徴としている。
【０００６】
このように構成した本発明は、連通配管を介して蒸気発生器で発生した水蒸気の圧力を貯水タンクに与えているので、すなわち給水ポンプの吸入側に作用させているので、給水ポンプの吸入側圧力が蒸気発生器で発生した水蒸気の圧力と同程度となる。したがって、給水ポンプの揚程としては、蒸気発生器の伝熱管の流路抵抗を超える程度でよく、必要な揚程としては小さくて済む。これにより、蒸気温度が高い場合でも、低揚程ポンプを設けることができる。
【０００７】
前記貯水タンクと前記蒸気発生器の出口側とを連絡する前記連通配管部分に絞りを設けたことを特徴とする密閉式熱源システム。このように構成した本発明は、連通配管部に絞りを設けることにより、貯水タンクと蒸気配管とを連絡する領域での急激な圧力変化が抑えられる。
【発明の効果】
【０００８】
本発明は、蒸気発生器の出口側と給水ポンプの入口側とを連結する連通配管を備えるとともに、この連通配管に貯水タンクを備えたことから、蒸気温度が高い場合でも、低揚程ポンプを設けることができ、従来に比べてポンプ形状を小さくできる。これによって、システムの小型化を実現できるとともに、製作原価を安くすることができる。
【発明を実施するための最良の形態】
【０００９】
以下、本発明に係る密閉式熱源システムを実施するための最良の形態を図に基づいて説明する。
【００１０】
［本発明の第１実施形態］
図１は、本発明に係る蒸気発生器を有する密閉式熱源システムの第１実施形態を示すフロー図である。
【００１１】
本発明の第１実施形態は、図１に示す深夜電力利用の蓄熱式ボイラーを使用した蒸気発生器１と、この蒸気発生器１内に設けた伝熱管２と、この伝熱管２内に給水配管３を介して給湯用（暖房用）の熱交換器７で液化した水を供給するための給水ポンプ４と、蒸気発生器１の伝熱管２の出口に連絡され、蒸気発生器１で発生した過熱蒸気と給水ポンプ４からの水と混合することにより飽和温度まで減温する減温装置５と、この減温装置５の出口と蒸気配管６を介して連結され、給湯用又は暖房用の温水を取り出すための給湯用（暖房用）の熱交換器７と、蒸気配管６と給水配管３の給水ポンプ４の吸い込み側とを連絡する連通配管８と、連通配管８中に配置された貯水タンク９と、連通配管８における貯水タンク９と蒸気配管６とを連絡する連通配管８部分に配置した絞り１０を備えている。
【００１２】
この第１実施形態においては、給湯運転の際には、給水ポンプ４を起動し、この給水ポンプ４が貯水タンク９より水を吸い込み、蒸気発生器１へその吸い込んだ水を供給する。この供給された水は、蒸気発生器１で加熱されることにより、過熱蒸気を発生し、減温装置５内で給水ポンプ４より送られてきた水とミキシングされ、飽和蒸気となる。ここで生成された飽和蒸気は、蒸気配管６を通り、給湯用（暖房用）の熱交換器７において給湯用温水と熱交換することで熱を奪われて凝縮液となり、給水配管３を通り、貯水タンク９へ戻る。
【００１３】
このように構成した第１実施形態によれば、蒸気配管６と給水配管３の給水ポンプ４の吸い込み側を、貯水タンク９を備えた連通配管８により連絡することで、貯水タンク９内の液面が凝縮液面となり、貯水タンク９の圧力Ｐ４が圧力Ｐ２と等しくなる。つまり、給水ポンプ４の吸い込み圧力が蒸気発生器１から発生した蒸気の圧力Ｐ２と同等となる。したがって、給水ポンプ４に必要な揚程ｈは、蒸気発生器１内の伝熱管２の抵抗（圧力Ｐ１−圧力Ｐ２）のみで良いこととなり、小さくて済む。つまり、蒸気温度が高い場合でも、給水ポンプ４を低揚程ポンプとすることができる。したがって、従来に比べてポンプ形状を小さくでき、これによりシステムの小型化を実現できるとともに、製作原価を安くすることができる。
【００１４】
なお、上述した図１に示す第１実施形態の給湯用（暖房用）の熱交換器７から温水を取り出す代わりに飽和水蒸気を取り出すこともできる。
【００１５】
［本発明の第２実施形態］
図２は、本発明の第２実施形態を示すフロー図である。
【００１６】
この第２実施形態は、上述した第１実施形態の給湯用（暖房用）の熱交換器７の代わりに、吸収式冷温水機の高温再生器１１を配置したもので、蒸気発生器１で発生した蒸気が高温再生器１１の熱源として利用される。前述の吸収式冷温水機は、良く知られたものを用いており、高温再生器１１、低温再生器１２、凝縮器１３、蒸発器１４、吸収器１５、吸収溶液熱交換器（省略）、溶液ポンプ（省略）、冷媒ポンプ（省略）などから構成され、蒸発器１４から得られる冷水を冷房用として利用するものである。その他の構成は、図１と同様である。
【００１７】
また、このように構成した第２実施形態においても、蒸気発生器１の出口側と給水ポンプ４の入り口側とを連絡する連通配管８を備え、この連通配管８に貯水タンク９を備えたことから、第１実施形態と同様の作用効果が得られる。
【図面の簡単な説明】
【００１８】
【図１】本発明に係る蒸気発生器を有する密閉式熱源システムの第１実施形態を示すフロー図である。
【図２】本発明に係る蒸気発生器を有する密閉式熱源システムの第２実施形態を示すフロー図である。
【符号の説明】
【００１９】
１    蒸気発生器
２    伝熱管
３    給水配管
４    給水ポンプ
５    減温装置
６    蒸気配管
７    熱交換器
８    連通配管
９    貯水タンク
１０  絞り
１１  高温再生器
１２  低温再生器
１３  凝縮器
１４  蒸発器
１５  吸収器
Ｐ１  圧力
Ｐ２  圧力
Ｐ４  圧力
ｈ    揚程
【図１】
2008002789.tif 000003
【図２】
2008002789.tif 000004